(57)【特許請求の範囲】
【請求項１】
フレームに形成された貫通穴に回転体を保持させるための軸受装置であって、
前記貫通穴の内周面は、互いに異なる方向に延びる第１平面部および第２平面部を含み、
前記回転体の軸線方向の端部に設けられるフランジ部材と、
前記フランジ部材に対して外嵌され、前記貫通穴に対して内嵌される軸受部材と、
前記フランジ部材を前記第１平面部と前記第２平面部との間に向けて押圧する押圧部材とを備え、
前記軸受部材は、
円筒状に形成され、前記フランジ部材が挿入される筒状部と、
前記フレームの所定部に係止される係止部と、
前記押圧部材とを備え、
前記筒状部は、
外周面が前記第１平面部および前記第２平面部に接触するように、前記貫通穴に内嵌され、
前記押圧部材は、
前記貫通穴の内周面と対向する位置に設けられ、
前記筒状部に挿入される前記フランジ部材を、前記第１平面部と前記第２平面部との間に向けて押圧することにより、前記フランジ部材の外周面を前記筒状部の内周面に接触させることを特徴とする、軸受装置。
【請求項２】
前記筒状部は、前記フレームから前記回転体側に突出し、
前記筒状部には、前記フレーム側において周方向に延び、その周方向両端部から前記回転体側に延びるように切り欠かれる切欠部が形成されており、
前記押圧部材は、前記切欠部に囲まれた部分であり、前記フレーム側端部において前記フランジ部材に向けて突出する突出部を備えていることを特徴とする、請求項１に記載の軸受装置。
【請求項３】
前記筒状部は、前記フレームから前記回転体側に突出し、
前記筒状部には、周方向に間隔を空けて、前記回転体側端部から前記フレームに向けて延びる１対のスリットが形成されており、
前記押圧部材は、前記筒状部における前記スリットに挟まれた第１部分と、前記第１部分の前記回転体側端部から前記第１部分と重なるように折り返され、弾性により前記フランジ部材を前記第１平面部と前記第２平面部との間に向けて押圧する第２部分とを備えることを特徴とする、請求項１に記載の軸受装置。
【請求項４】
前記軸受部材には、前記貫通穴の内周面と対向する対向部分の一部が切り欠かれる切欠部が形成されており、
前記押圧部材は、前記切欠部に配置され、前記フランジ部材を前記第１平面部と前記第２平面部との間に向けて付勢する付勢部材を備えることを特徴とする、請求項１に記載の軸受装置。
【請求項５】
前記軸受部材は、前記フレームに沿って設けられる環状の鍔部を備え、
前記係止部は、前記鍔部と一体的に形成されていることを特徴とする、請求項１〜４のいずれか一項に記載の軸受装置。
【請求項６】
前記回転体の軸線方向の一端部には、前記回転体に駆動力を伝達するギアが設けられていることを特徴とする、請求項１〜５のいずれか一項に記載の軸受装置。
【請求項７】
前記回転体は、感光ドラムであることを特徴とする、請求項１〜６のいずれか一項に記載の軸受装置。
【請求項８】
感光ドラムと、
前記感光ドラムの軸線方向の端部に設けられるフランジ部材と、
互いに異なる方向に延びる第１平面部および第２平面部を内周面に有する貫通穴が形成されたフレームと、
前記フランジ部材に対して外嵌され、前記貫通穴に対して内嵌される軸受部材と、
前記フランジ部材を前記第１平面部と前記第２平面部との間に向けて押圧する押圧部材とを備え、
前記軸受部材は、
円筒状に形成され、前記フランジ部材が挿入される筒状部と、
前記フレームの所定部に係止される係止部と、
前記押圧部材とを備え、
前記筒状部は、
外周面が前記第１平面部および前記第２平面部に接触するように、前記貫通穴に内嵌され、
前記押圧部材は、
前記貫通穴の内周面と対向する位置に設けられ、
前記筒状部に挿入される前記フランジ部材を、前記第１平面部と前記第２平面部との間に向けて押圧することにより、前記フランジ部材の外周面を前記筒状部の内周面に接触させることを特徴とする、ドラムユニット。
【請求項９】
前記筒状部は、前記フレームから前記回転体側に突出し、
前記筒状部には、前記フレーム側において周方向に延び、その周方向両端部から前記回転体側に延びるように切り欠かれる切欠部が形成されており、
前記押圧部材は、前記切欠部に囲まれた部分であり、前記フレーム側端部において前記フランジ部材に向けて突出する突出部を備えていることを特徴とする、請求項８に記載のドラムユニット。
【請求項１０】
前記筒状部は、前記フレームから前記回転体側に突出し、
前記筒状部には、周方向に間隔を空けて、前記感光ドラム側端部から前記フレームに向けて延びる１対のスリットが形成されており、
前記押圧部材は、前記筒状部における前記スリットに挟まれた第１部分と、前記第１部分の前記感光ドラム側端部から前記第１部分と重なるように折り返され、弾性により前記フランジ部材を前記第１平面部と前記第２平面部との間に向けて押圧する第２部分とを備えることを特徴とする、請求項８に記載のドラムユニット。
【請求項１１】
前記軸受部材には、前記貫通穴の内周面と対向する対向部分の一部が切り欠かれる切欠部が形成されており、
前記押圧部材は、前記切欠部に配置され、前記フランジ部材を前記第１平面部と前記第２平面部との間に向けて付勢する付勢部材を備えることを特徴とする、請求項８に記載のドラムユニット。
【請求項１２】
周面が前記感光ドラムに押圧される現像ローラを備え、
前記押圧部材が前記フランジ部材を押圧する方向は、前記現像ローラの周面が前記感光ドラムを押圧する方向と同一方向であることを特徴とする、請求項８〜１１のいずれか一項に記載のドラムユニット。
【請求項１３】
前記軸受部材は、
前記フレームに沿って設けられる環状の鍔部を備え、
前記係止部は、前記鍔部と一体的に形成されていることを特徴とする、請求項８〜１２のいずれか一項に記載のドラムユニット。
【請求項１４】
前記感光ドラムの軸線方向の一端部には、前記感光ドラムに駆動力を伝達するギアが設けられていることを特徴とする、請求項８〜１３のいずれか一項に記載のドラムユニット。
【請求項１５】
前記感光ドラムは、複数備えられ、
前記貫通穴は、前記感光ドラムに対応して、前記感光ドラムの数と同数形成されていることを特徴とする、請求項８〜１４のいずれか一項に記載のドラムユニット。
【請求項１６】
感光ドラムと、
前記感光ドラムの軸線方向の端部に設けられるフランジ部材と、
互いに異なる方向に延びる第１平面部および第２平面部を内周面に有する貫通穴が形成されたフレームと、
前記フランジ部材に対して外嵌され、前記貫通穴に対して内嵌される軸受部材と、
前記フランジ部材を前記第１平面部と前記第２平面部との間に向けて押圧する押圧部材とを備え、
前記軸受部材は、
円筒状に形成され、前記フランジ部材が挿入される筒状部と、
前記フレームの所定部に係止される係止部と、
前記押圧部材とを備え、
前記筒状部は、
外周面が前記第１平面部および前記第２平面部に接触するように、前記貫通穴に内嵌され、
前記押圧部材は、
前記貫通穴の内周面と対向する位置に設けられ、
前記筒状部に挿入される前記フランジ部材を、前記第１平面部と前記第２平面部との間に向けて押圧することにより、前記フランジ部材の外周面を前記筒状部の内周面に接触させることを特徴とする、画像形成装置。
【請求項１７】
前記筒状部は、前記フレームから前記感光ドラム側に突出し、
前記筒状部には、前記フレーム側において周方向に延び、その周方向両端部から前記回転体側に延びるように切り欠かれる切欠部が形成されており、
前記押圧部材は、前記切欠部に囲まれた部分であり、前記フレーム側端部において前記フランジ部材に向けて突出する突出部を備えていることを特徴とする、請求項１６に記載の画像形成装置。
【請求項１８】
前記筒状部は、前記フレームから前記感光ドラム側に突出し、
前記筒状部には、周方向に間隔を空けて、前記感光ドラム側端部から前記フレームに向けて延びる１対のスリットが形成されており、
前記押圧部材は、前記筒状部における前記スリットに挟まれた第１部分と、前記第１部分の前記感光ドラム側端部から前記第１部分と重なるように折り返され、弾性により前記フランジ部材を前記第１平面部と前記第２平面部との間に向けて押圧する第２部分とを備えることを特徴とする、請求項１６に記載の画像形成装置。
【請求項１９】
前記軸受部材には、前記貫通穴の内周面と対向する対向部分の一部が切り欠かれる切欠部が形成されており、
前記押圧部材は、前記切欠部に配置され、前記フランジ部材を前記第１平面部と前記第２平面部との間に向けて付勢する付勢部材を備えることを特徴とする、請求項１６に記載の画像形成装置。
【請求項２０】
周面が前記感光ドラムに押圧される現像ローラを備え、
前記押圧部材が前記フランジ部材を押圧する方向は、前記現像ローラの周面が前記感光ドラムを押圧する方向と同一方向であることを特徴とする、請求項１６〜１９のいずれか一項に記載の画像形成装置。
【請求項２１】
前記軸受部材は、
前記フレームに沿って設けられる環状の鍔部を備え、
前記係止部は、前記鍔部と一体的に形成されていることを特徴とする、請求項１６〜２０のいずれか一項に記載の画像形成装置。
【請求項２２】
前記感光ドラムの軸線方向の一端部には、前記感光ドラムに駆動力を伝達するギアが設けられていることを特徴とする、請求項１６〜２１のいずれか一項に記載の画像形成装置。
【請求項２３】
前記感光ドラムは、複数備えられ、
前記貫通穴は、前記感光ドラムに対応して、前記感光ドラムの数と同数形成されていることを特徴とする、請求項１６〜２２のいずれか一項に記載の画像形成装置。
【発明の詳細な説明】
【技術分野】
【０００１】
本発明は、軸受装置、ドラムユニットおよび画像形成装置に関する。
【背景技術】
【０００２】
電子写真方式のカラープリンタにおいて、イエロー、マゼンタ、シアンおよびブラックの各色に対応した感光ドラムを並列に配置した、いわゆるタンデム型のものが知られている。
【０００３】
このタンデム型のカラープリンタとして、本体ケーシングに対して、４つの感光ドラムを一体的に着脱可能な構成としたものが提案されている（たとえば、特許文献１参照）。
【０００４】
この提案に係る構成は、各感光ドラムを保持するドラムサブユニットと、これらのドラムサブユニットを感光ドラムの軸線方向の両側から挟む１対の側板とを備えている。両側板間には、各ドラムサブユニットに対応して、現像ローラを保持する現像カートリッジが着脱可能に装着される。そして、ドラムサブユニット、現像カートリッジおよび１対の側板は、ドラムユニットとして、本体ケーシングに対して着脱可能に装着される。
【先行技術文献】
【特許文献】
【０００５】
【特許文献１】特開２００７−７２４２２号公報
【発明の概要】
【発明が解決しようとする課題】
【０００６】
１対の側板間に感光ドラムを保持させるための構成として、たとえば、感光ドラムの軸線方向の両端部にフランジ部材を固定し、そのフランジ部材を両側板に形成された貫通孔に固定された軸受部材に挿通して固定して、フランジ部材と軸受部材とを相対回転可能に設ける構成が考えられる。
【０００７】
しかし、この構成では、１対の側板間に熱膨張量の差が生じる場合があることを想定して、その熱膨張量差に起因する感光ドラムの位置ずれが生じるのを防止するために、フランジ部材を貫通孔に遊びを有する状態で挿通する必要がある。そのため、感光ドラムをフレームに対して精度よく位置決めすることができない。
【０００８】
本発明の目的は、感光ドラムなどの回転体をフレームに対して精度よく位置決めすることができる、軸受装置、ドラムユニットおよび画像形成装置を提供することである。
【課題を解決するための手段】
【０００９】
前記の目的を達成するため、本発明に係る軸受装置は、フレームに形成された貫通穴に回転体を保持させるための軸受装置であって、前記貫通穴の内周面は、互いに異なる方向に延びる第１平面部および第２平面部を含み、前記回転体の軸線方向の端部に設けられるフランジ部材と、前記フランジ部材に対して外嵌され、前記貫通穴に対して内嵌される軸受部材と、前記フランジ部材を前記第１平面部と前記第２平面部との間に向けて押圧する押圧部材とを備え、前記押圧部材は、前記貫通穴の内周面と対向する位置に設けられることを特徴としている。
【００１０】
また、本発明に係るドラムユニットは、感光ドラムと、前記感光ドラムの軸線方向の端部に設けられるフランジ部材と、互いに異なる方向に延びる第１平面部および第２平面部を内周面に有する貫通穴が形成されたフレームと、前記フランジ部材に対して外嵌され、前記貫通穴に対して内嵌される軸受部材と、前記フランジ部材を前記第１平面部と前記第２平面部との間に向けて押圧する押圧部材とを備え、前記押圧部材は、前記貫通穴の内周面と対向する位置に設けられることを特徴としている。
【００１１】
また、本発明に係る画像形成装置は、感光ドラムと、前記感光ドラムの軸線方向の端部に設けられるフランジ部材と、互いに異なる方向に延びる第１平面部および第２平面部を内周面に有する貫通穴が形成されたフレームと、前記フランジ部材に対して外嵌され、前記貫通穴に対して内嵌される軸受部材と、前記フランジ部材を前記第１平面部と前記第２平面部との間に向けて押圧する押圧部材とを備え、前記押圧部材は、前記貫通穴の内周面と対向する位置に設けられることを特徴としている。
【発明の効果】
【００１２】
本発明によれば、フレームを貫通する貫通穴の内周面には、互いに異なる方向に延びる第１平面部および第２平面部が形成されている。回転体（感光ドラム）の軸線方向の端部には、フランジ部材が設けられる。フランジ部材には、軸受部材が外嵌される。軸受部材は、貫通穴に内嵌される。そして、押圧部材は、貫通穴の内周面と対向する位置に設けられ、フランジ部材を第１平面部と第２平面部との間に向けて押圧する。これにより、フランジ部材が、軸受部材の内周面と接触した状態で、第１平面部および第２平面部の２面に対して位置決めされる。すなわち、フランジ部材は、回転体の軸線方向と直交する２方向に対して位置決めされる。その結果、回転体をフレームに対して精度よく位置決めすることができる。
【図面の簡単な説明】
【００１３】
【図１】本発明の画像形成装置の一実施形態としてのカラープリンタの第１実施形態を示す中央断面図である。
【図２】図１に示すドラムユニットの右前側上方から見た斜視図であり、１つの現像カートリッジが装着され、その他の現像カートリッジが離脱された状態を示す。
【図３】図２に示すドラムユニットの平面図であり、ドラムユニットから１対の外側板を取り外した状態を示す。
【図４】図３に示す左内側板の右前側上方から見た斜視図である。
【図５】図３に示す左内側板におけるドラム支持孔の周辺部分の拡大図である。
【図６】図３に示す右内側板および左内側板間に１つの感光ドラムが装着された状態を示す斜視図である。
【図７】図６に示す右軸受部材を示す斜視図である。
【図８】図６に示す右軸受部材を示す斜視図である。
【図９】図６に示す左軸受部材を示す斜視図である。
【図１０】図６に示す左軸受部材を示す斜視図である。
【図１１】図７および図８に示す右軸受部材が、右内側板に取り付けられた状態を説明するための斜視図である。
【図１２】図９および図１０に示す左軸受部材が、左内側板に取り付けられた状態を説明するための斜視図である。
【図１３】図７および図８に示す右軸受部材における押圧部材の押圧を説明するための押圧方向断面図である。
【図１４】図９および図１０に示す左軸受部材における押圧部材の押圧を説明するための押圧方向断面図である。
【図１５】図２に示すドラムユニットに現像カートリッジが装着されたときの、現像ローラと感光ドラムとの位置関係を示す模式的な側面図である。
【図１６】本発明の第２実施形態における左軸受部材を示す斜視図である。
【図１７】本発明の第２実施形態における左軸受部材を示す斜視図である。
【図１８】本発明の第２実施形態における左内側板のドラム支持孔の周辺部分の拡大図である。
【図１９】図１６および図１７に示す左軸受部材が、左内側板に取り付けられた状態を説明するための斜視図である。
【図２０】図１６および図１７に示す左軸受部材における押圧部材の押圧を説明するための押圧方向断面図である。
【図２１】本発明の第３実施形態における左軸受部材を示す斜視図である。
【図２２】本発明の第３実施形態における左軸受部材を示す斜視図である。
【図２３】本発明の第３実施形態における左内側板のドラム支持孔の周辺部分の拡大図である。
【図２４】図２１および図２２に示す左軸受部材が、左内側板に取り付けられた状態を説明するための斜視図である。
【図２５】図２１および図２２に示す左軸受部材における押圧部材の押圧を説明するための押圧方向断面図である。
【発明を実施するための形態】
【００１４】
以下では、本発明の実施形態について、添付図面を参照しながら詳細に説明する。
１．プリンタ
図１に示すように、画像形成装置の一例としてのプリンタ１は、タンデム型のカラープリンタである。プリンタ１の本体ケーシング２内には、軸受装置の一例としてのドラムユニット３が装着されている。このドラムユニット３は、本体ケーシング２の前面に設けられたカバー４を開けて、本体ケーシング２に対して着脱可能となっている。
【００１５】
なお、以下の説明において、カバー４が設けられる側（図１における左側）を前側（正面側）とし、その反対側（図１における右側）を後側（背面側）とする。また、プリンタ１を前側から見たときを左右の基準とする。
【００１６】
ドラムユニット３には、４つの回転体の一例としての感光ドラム５が備えられている。４つの感光ドラム５は、ブラック、イエロー、マゼンタおよびシアンの各色に対応して設けられ、前後方向に沿って、前側からブラック、イエロー、マゼンタおよびシアンの順に等間隔に並列に配置されている。
【００１７】
また、ドラムユニット３には、各感光ドラム５に対応して、スコロトロン型帯電器６と、現像カートリッジ７とが備えられている。現像カートリッジ７は、感光ドラム５にトナー（現像剤）を供給するための現像ローラ８を備えている。各現像カートリッジ７は、ドラムユニット３に対して着脱可能に装着されている。
【００１８】
ドラムユニット３の上方には、各色に対応した４本のレーザビームを出射する露光器９が配置されている。
【００１９】
感光ドラム５の回転に伴って、感光ドラム５の表面は、スコロトロン型帯電器６からの放電によって一様に帯電された後、露光器９からのレーザビームにより選択的に露光される。この露光によって、感光ドラム５の表面から電荷が選択的に除去され、感光ドラム５の表面に静電潜像が形成される。静電潜像が現像ローラ８に対向すると、現像ローラ８から静電潜像にトナーが供給される。これによって、感光ドラム５の表面にトナー像が形成される。
【００２０】
なお、露光器９に代えて、４つのＬＥＤアレイが各感光ドラム５に対応して設けられてもよい。
【００２１】
本体ケーシング２の底部には、用紙Ｐを収容する給紙カセット１０が配置されている。給紙カセット１０に収容されている用紙Ｐは、各種ローラにより、搬送ベルト１１上に搬送される。搬送ベルト１１は、４つの感光ドラム５に下方から対向して配置されている。感光ドラム５に対して搬送ベルト１１の上側部分を挟んで対向する各位置には、転写ローラ１２が配置されている。搬送ベルト１１上に搬送された用紙Ｐは、搬送ベルト１１の走行により、搬送ベルト１１と各感光ドラム５との間を順次に通過する。そして、感光ドラム５の表面上のトナー像は、用紙Ｐと対向したときに、転写ローラ１２に印加された転写バイアスによって、用紙Ｐに転写される。
【００２２】
搬送ベルト１１に対して用紙Ｐの搬送方向における下流側には、定着器１３が設けられている。トナー像が転写された用紙Ｐは、定着器１３に搬送される。定着器１３では、加熱および加圧により、トナー像が用紙Ｐに定着される。トナー像が定着した用紙Ｐは、各種ローラにより、本体ケーシング２の上面の排紙トレイ１４に排出される。
２．ドラムユニット
図２に示すように、ドラムユニット３は、４つの感光ドラム５、４つの現像カートリッジ７、４つのドラムサブユニット２０、フロントビーム２１、リヤビーム２２、フレームの一例としての右内側板２４および左内側板２５、ならびに１対の右外側板２７および左外側板２８が一体となって、本体ケーシング２（図１参照）内に対してスライド自在に着脱される。
（１）ドラムサブユニット
４つのドラムサブユニット２０は、右内側板２４および左内側板２５間において、前後方向に間隔を空けて配置されている。各ドラムサブユニット２０は、樹脂からなり、左右方向に細長く、前側下方に開放された略三角柱状に成形されている。各ドラムサブユニット２０には、図１に示すスコロトロン型帯電器６と、感光ドラム５の表面のクリーニングのためのクリーニング部材１５が保持されている。
（２）フロントビーム
フロントビーム２１は、樹脂からなる。フロントビーム２１は、１対の右内側板２４および左内側板２５の前端部間に架設されている。
【００２３】
フロントビーム２１は、支持軸２９を保持している。支持軸２９は、フロントビーム２１を左右方向に貫通し、さらに右内側板２４、左内側板２５、右外側板２７および左外側板２８を貫通して、右外側板２７および左外側板２８から左右方向外方に突出している。
【００２４】
フロントビーム２１の前面における左右方向中央部には、手前側把持部３０が一体的に形成されている。手前側把持部３０は、平面視略コ字状をなし、その各遊端部がフロントビーム２１に連結されている。
（３）リヤビーム
リヤビーム２２は、樹脂からなる。リヤビーム２２は、１対の右内側板２４および左内側板２５の後端部間に架設されている。
【００２５】
リヤビーム２２の上面における左右方向中央部には、奥側把持部３１が一体的に形成されている。奥側把持部３１は、背面視略Ｕ字状をなし、その各遊端部がリヤビーム２２に連結され、後側下方から前側上方に傾斜して、リヤビーム２２から斜め上方に突出するように設けられている。
（４）内側板
右内側板２４および左内側板２５は、同一のプレス型を用いた金属板のプレス加工により作製され、同一の形状を有している。なお、以下では、左内側板２５を取り上げて、その構成について説明する。
【００２６】
図３および図４に示すように、左内側板２５は、前後方向に延びる略細長矩形板状に形成されている。左内側板２５の前端部および後端部は、それぞれフロントビーム２１およびリヤビーム２２に対して左右方向において対向している。
【００２７】
左内側板２５の前端部は、前側上方に向けて延びている。この左内側板２５の前端部には、支持軸２９が挿通される支持軸挿通孔５１が貫通形成されている。
【００２８】
左内側板２５の後端部は、側面視略Ｌ字状に形成されている。左内側板２５の後端部には、その後端縁から略Ｖ字状に切り欠いた形状の位置決め部５３が形成されている。位置決め部５３は、図１に示すように、ドラムユニット３が本体ケーシング２に対して装着された状態で、本体ケーシング２内における後側に左右方向にわたって架設された本体基準軸３４を受け入れて、その本体基準軸３４に上方および前方から当接する。
【００２９】
左内側板２５には、４つのドラム支持孔３２が前後方向に一定間隔を空けて形成されている。
（４−１）ドラム支持孔
図５に示すように、貫通穴の一例としてのドラム支持孔３２の内面は、４つの直線部６０と、４つの湾曲部６１とを有している。
【００３０】
４つの直線部６０は、上下方向に延び、前後方向に互いに対向する２つの縦直線部６３と、前後方向に延び、上下方向に互いに対向する２つの横直線部６４とからなる。後側の縦直線部６３は、後述する感光ドラム５のフランジ部材８１を位置決めするための第１平面部をなしている。また、下側の横直線部６４は、後述する感光ドラム５のフランジ部材８１を位置決めするための第２平面部をなしている。
【００３１】
４つの湾曲部６１は、互いに直交する２つの直線部６０を連結し、互いに連結される直線部６０の角を湾曲状に面取りした形状に形成されている。これにより、ドラム支持孔３２は、側面視において、各頂点が丸みを帯びた略四角形状に形成されている。
（４−２）係止溝
左内側板２５の下端縁において、ドラム支持孔３２の中心と上下方向に重なる位置には、その下端縁から上方へ略矩形状に窪む軸受係止溝７０が形成されている。また、左内側板２５の下端縁において、軸受係止溝７０に対して前側および後側にそれぞれ間隔を空けた位置には、その下端縁から上方へ略矩形状に窪むクリップ係止溝７１が形成されている。
【００３２】
また、各ドラム支持孔３２の上方において、左内側板２５の上端縁は、前側上方へ傾斜し、各ドラム支持孔３２の中心と上下方向に対向する位置で下方へ延び、さらに横直線部６４と平行をなして前方へと延びる形状に形成されている。これにより、左内側板２５の上端縁は、段差を有しており、この段差の一段低い部分が所定部の一例としての被係止部７２となっている。被係止部７２には、後述する右軸受部材９０（左軸受部材９１）の係止部の一例としての第１係止部１０１（第２係止部１１０）が係止される。
（５）外側板
図２に示すように、１対の右外側板２７および左外側板２８は、たとえば、繊維強化樹脂からなる。右外側板２７および左外側板２８は、右内側板２４および左内側板２５と比較して、上下方向に幅広かつ前後方向にほぼ同じ長さを有する側面視略細長矩形板状に形成されている。右外側板２７および左外側板２８の前端部および後端部は、それぞれフロントビーム２１およびリヤビーム２２に対して左右方向において対向している。
【００３３】
右外側板２７および左外側板２８の前端部は、右外側板２７および左外側板２８の途中部よりも上下方向に幅狭に形成されており、それらの下端縁が前側上方に向けて傾斜している。また、右外側板２７および左外側板２８の後端部は、右外側板２７および左外側板２８の途中部よりも上下方向に幅狭に形成されており、それらの下端縁が後側上方に向けて傾斜している。
【００３４】
右外側板２７および左外側板２８の後端部には、右内側板２４および左内側板２５の位置決め部５３（図４参照）と左右方向に対向する位置に、位置決め部５３とほぼ同じ形状の凹部３３が形成されている。凹部３３は、ドラムユニット３が本体ケーシング２に対して装着された状態で、本体基準軸３４に干渉しない。
（６）感光ドラム
感光ドラム５は、図６に示すように、円筒状のドラム本体８０と、ドラム本体８０の両端部にそれぞれ相対回転不能に嵌合される２つのフランジ部材８１とを備えている。
【００３５】
ドラム本体８０は、その最表層が正帯電性の感光層により形成される。
【００３６】
フランジ部材８１は、樹脂材料からなり、ドラム本体８０の両端部に、その一部が挿入されている。左側のフランジ部材８１の左側端面には、本体ケーシング２内に設けられた後述する駆動伝達部１１２（図２参照）が結合される結合溝（図示せず）が設けられている。これにより、図１に示すように、ドラムユニット３が本体ケーシング２内に装着された状態で、感光ドラム５に駆動伝達部１１２からの駆動力が伝達され、感光ドラム５を回転駆動させることができる。また、フランジ部材８１は、右内側板２４および左内側板２５に形成されたドラム支持孔３２の径よりも小さい外径を有している。
【００３７】
右側のフランジ部材８１は、軸受部材の一例としての右軸受部材９０を介して、右内側板２４に回転可能に支持されている。また、左側のフランジ部材８１は、軸受部材の一例としての左軸受部材９１を介して、左内側板２５に回転可能に支持されている。
（７）軸受部材
（７−１）右軸受部材
右軸受部材９０は、樹脂材料から形成され、図７および図８に示すように、円筒状に形成された筒状部９２と、筒状部９２の一方側端面を封止する封止部９８と、封止部９８の中央部分に設けられ、筒状部９２の内部空間内に、筒状部９２と同心円筒状をなすように形成されるシャフト保持部９３と、筒状部９２の外周面において、筒状部９２の軸線方向途中部から径方向外方へ広がる円環板状の鍔部の一例としての鍔部９４とを一体的に備えている。
【００３８】
筒状部９２は、右内側板２４に形成されたドラム支持孔３２（図４参照）の内周面とほぼ同じ外径を有し、右側のフランジ部材８１の外周面よりもわずかに大きな内径を有している。
【００３９】
筒状部９２には、その一方側（封止部９８側）において周方向に延び、その周方向両端部から他方側に向けて延びるように切り欠かれる切欠部９５が形成されている。
【００４０】
詳しくは、筒状部９２は、中心角が約３０°の円弧幅を隔てて、一方側（封止部９８側）から他方側に延びる１対のスリットと、封止部９８側においてそれら１対のスリットを周方向に連通するスリットとが形成されるようにされるように切り欠かれている。また、封止部９８は、筒状部９２の周方向に切り欠かれたスリットと連通するように、中心角が約３０°の円弧幅をもって径方向内方へ切り欠かれている。
【００４１】
これによって、筒状部９２および鍔部９４において、側面視略コ字状の切欠部９５が形成されている。
【００４２】
そして、側面視略コ字状の切欠部９５に囲まれた側面視矩形状部分は、押圧部材９６をなしている。
【００４３】
押圧部材９６は、周方向に長い湾曲形状をなし、鍔部９４から封止部９８側に向けて延びるように形成されている。
【００４４】
また、押圧部材９６は、右軸受部材９０が右内側板２４のドラム支持孔３２に保持されたときに、前側の縦直線部６３と上側の横直線部６４との間に配置される。言い換えると、押圧部材９６は、右軸受部材９０が右内側板２４のドラム支持孔３２に保持されたときに、第１平面部をなす後側の縦直線部６３と第２平面部をなす下側の横直線部６４に対向する。
【００４５】
また、押圧部材９６の封止部９８側端部の内周面には、突出部９７が形成されている。
【００４６】
突出部９７は、断面鉤状をなし（図１３参照）、押圧部材９６の内周面から、筒状部９２の内部空間に突出するように形成されている。
【００４７】
また、突出部９７は、右軸受部材９０がフランジ部材８１に対して外嵌したときに、フランジ部材８１に接触して押圧するように形成されている（図１３参照）。
【００４８】
封止部９８には、シャフト貫通孔９９がその厚さ方向に貫通して形成されている。
【００４９】
シャフト貫通孔９９は、シャフト保持部９３の内部空間と連通するように、封止部９８の中央部分に設けられている。
【００５０】
右軸受部材９０には、筒状部９２（シャフト保持部９３）の中心軸線に沿って、棒状のシャフト８３が設けられている。シャフト８３の一端部は、シャフト保持部９３に挿通され、シャフト貫通孔９９を貫通し、封止部９８から突出している。また、シャフト８３の他端部は、その先端が先細り形状に形成されている。
【００５１】
鍔部９４の外周縁には、２つの第１係止部１０１がシャフト８３の軸線に対して互いに対向する位置に形成されている。第１係止部１０１は、延長部１１５、支持部１１６および係止突起１１７を一体的に備えている。
【００５２】
延長部１１５は、鍔部９４の外周縁から筒状部９２の径方向外側に向けて開放される側面視コ字状に形成されている。
【００５３】
支持部１１６は、延長部１１５において、封止部９８側と反対側に設けられ、延長部１１５の先端を超えて封止部９８側に延び、延長部１１５と同様に側面視コ字状に形成されている。
【００５４】
係止突起１１７は、封止部９８側に設けられ、延長部１１５および支持部１１６の側面視コ字状の内部空間を挿通するように封止部９８側に延びている。
【００５５】
係止突起１１７は、その先端が断面鉤状に形成され、その先端から基端に向けて、筒状部９２の中心軸線に向かうように傾斜する傾斜面１１８が形成されている。傾斜面１１８の基端部側の端縁と鍔部９４における封止部９８側の面との間には、右内側板２４の左右方向の厚さとほぼ同じ間隔が設けられている。
（７−２）左軸受部材
左軸受部材９１は、樹脂材料から形成され、図９および図１０に示すように、円筒状に形成された筒状部１０５と、筒状部１０５の一方側の周端縁から径方向外方に広がる円環板状の鍔部の一例としての鍔部１０６とを一体的に備えている。
【００５６】
筒状部１０５は、左内側板２５に形成されたドラム支持孔３２（図４参照）の内周面とほぼ同じ外径を有し、左側のフランジ部材８１の外周面よりもわずかに大きな内径を有している。
【００５７】
筒状部１０５には、一方側（鍔部１０６側）において周方向に延び、その周方向両端部から他方側に延びるように切り欠かれる切欠部１０７が形成されている。
【００５８】
詳しくは、筒状部１０５は、中心角が約３０°の円弧幅を隔てて、一方側（鍔部１０６側）から他方側に延びる１対のスリットと、鍔部１０６側においてそれら１対のスリットを周方向に連通するスリットが形成されるように切り欠かれている。また、鍔部１０６は、筒状部１０５の周方向に切欠かれたスリットと連通するように、中心角が約３０°の円弧幅をもって径方向外方へ切り欠かれている。
【００５９】
これによって、筒状部１０５および鍔部１０６において、側面視略コ字状の切欠部１０７が形成されている。
【００６０】
そして、側面視略コ字状の切欠部１０７に囲まれた側面視矩形状部分は、押圧部材１０８をなしている。
【００６１】
押圧部材１０８は、周方向に長い湾曲形状をなし、筒状部１０５の軸線方向途中部から鍔部１０６側に向けて延びるように形成されている。
【００６２】
また、押圧部材１０８は、左軸受部材９１が左内側板２５のドラム支持孔３２に保持されたときに、前側の縦直線部６３と上側の横直線部６４との間に配置される。言い換えると、押圧部材１０８は、左軸受部材９１が左内側板２５のドラム支持孔３２に保持されたときに、第１平面部をなす後側の縦直線部６３と第２平面部をなす下側の横直線部６４に対向する。また、押圧部材１０８の鍔部１０６側端部の内周面には、突出部１０９が形成されている。
【００６３】
突出部１０９は、断面鉤状をなし（図１４参照）、押圧部材１０８の内周面から、筒状部１０５の内部空間に突出するように形成されている。
【００６４】
また、突出部１０９は、左軸受部材９１がフランジ部材８１に対して外嵌したときに、フランジ部材８１に接触して押圧するように形成されている（図１４参照）。
【００６５】
鍔部１０６の外周縁には、２つの第２係止部１１０が筒状部１０５の軸線に対して互いに対向する位置に形成されている。第２係止部１１０は、延長部１１９および係止突起１２０を一体的に備えている。
【００６６】
延長部１１９は、鍔部１０６の外周縁から筒状部１０５の径方向外側に向けて延びる側面視略矩形状に形成されている。
【００６７】
係止突起１２０は、延長部１１９の先端部（筒状部１０５の径方向外側端部）から他方（鍔部１０６に対して、筒状部１０５側）に延びる板状に形成されている。
【００６８】
これにより、延長部１１９および係止突起１２０は、全体として断面Ｌ字状をなしている。
（８）ドラムユニットに対する感光ドラムの取り付け
ドラムユニット３に対する感光ドラム５の取り付けは、図３に示すように、４つのドラムサブユニット２０、フロントビーム２１、リヤビーム２２および１対の内側板（右内側板２４および左内側板２５）が組み立てられた状態で行われる。
【００６９】
具体的には、まず、４つのドラムサブユニット２０が前後方向に一定間隔を空けて配置される。そして、最前方のドラムサブユニット２０に対して前方に間隔を空けて、フロントビーム２１が配置される。また、最後方のドラムサブユニット２０に対して後方にわずかな間隔を空けて、リヤビーム２２が配置される。
【００７０】
その後、フロントビーム２１、４つのドラムサブユニット２０およびリヤビーム２２の右側に右内側板２４が配置されるとともに、それらの左側に左内側板２５が配置される。そして、図示しない複数のねじを介して、フロントビーム２１、４つのドラムサブユニット２０およびリヤビーム２２に対し、各内側板２３が組み付けられる。
【００７１】
フロントビーム２１、４つのドラムサブユニット２０およびリヤビーム２２に対して、各内側板２３が組み付けられた後、感光ドラム５の取り付けが行われる。
【００７２】
まず、感光ドラム５の右側端部に右軸受部材９０が装着される。具体的には、右側のフランジ部材８１が筒状部９２の内側に挿入される。このとき、筒状部９２に形成された押圧部材９６の突出部９７がフランジ部材８１の外周面に対して弾性的に接触する。これにより、フランジ部材８１が全体的に押圧部材９６から離間する方向に押圧される。また、フランジ部材８１に右軸受部材９０が外嵌された状態で、感光ドラム５の内側には、シャフト保持部９３に保持されたシャフト８３が挿入される。
【００７３】
その後、図１１に示すように、右内側板２４のドラム支持孔３２に対して、感光ドラム５の右端部に装着された右軸受部材９０が装着される。具体的には、まず、右軸受部材９０の封止部９８がドラム支持孔３２に左側から対向するように感光ドラム５が配置される。その後、感光ドラム５が全体的に右方へ進出することにより、右軸受部材９０は、筒状部９２の外周面をドラム支持孔３２の４つの直線部６０に接触させつつ、ドラム支持孔３２に挿入される。このとき、第１係止部１０１における係止突起１１７の傾斜面１１８が右内側板２４の上端縁（被係止部７２）および下端縁（軸受係止溝７０）に左側から当接する。そして、右軸受部材９０がさらに右方へ移動されることにより、右内側板２４の上端縁および下端縁が傾斜面１１８上を移動するとともに、係止突起１１７がその当接方向外側に弾性的に変形する。鍔部９４が右内側板２４の左側面に当接すると、それ以上の右軸受部材９０の右方への移動が規制される。また、右内側板２４の上端縁および下端縁が傾斜面１１８を乗り越えるとともに、係止突起１１７の変形が復元することにより、傾斜面１１８と鍔部９４との間に右内側板２４が挟み込まれる。これにより、２つの第１係止部１０１が右内側板２４の被係止部７２および軸受係止溝７０に係止される。
【００７４】
また、この状態で、筒状部９２の外周面と湾曲部６１との間には、隙間が形成されている。
【００７５】
右軸受部材９０がドラム支持孔３２に嵌合された状態で、押圧部材９６が前側の縦直線部６３と上側の横直線部６４との間に配置されていることにより、フランジ部材８１は、第１平面部をなす後側の縦直線部６３と、第２平面部をなす下側の横直線部６４との間に向けて押圧される。右軸受部材９０の外周面が４つの直線部６０に接して固定され、フランジ部材８１が第１平面部および第２平面部の間に向けて押圧されることにより、フランジ部材８１は、その外周面が右軸受部材９０の筒状部９２の内周面に接触した状態で、第１平面部および第２平面部の２面に対して位置決めされる。これにより、感光ドラム５の右端部の位置決めが達成される。
【００７６】
このとき、図１３に示すように、押圧部材９６の突出部９７は、押圧部材９６の押圧方向に投影したときに、右内側板２４のドラム支持孔３２の内周面１３９と重なるように対向配置している。
【００７７】
その後、図１２に示すように、左内側板２５および感光ドラム５の左端部（左側のフランジ部材８１）に対して、左軸受部材９１が装着される。具体的には、左内側板２５のドラム支持孔３２から左側のフランジ部材８１が露出した状態で、左側のフランジ部材８１の外周面とドラム支持孔３２との間に、左軸受部材９１の筒状部１０５が挿入される。
【００７８】
このとき、筒状部１０５に形成された押圧部材１０８の突出部１０９がフランジ部材８１の外周面に対して弾性的に接触する。これにより、フランジ部材８１が全体的に押圧部材１０８から離間する方向に押圧される。
【００７９】
また、右軸受部材９０と同様に、左軸受部材９１の筒状部１０５の外周面がドラム支持孔３２の４つの直線部６０に接触した状態で、ドラム支持孔３２に挿入される。この状態で、筒状部１０５の外周面と湾曲部６１との間には、隙間が形成されている。
【００８０】
左軸受部材９１がドラム支持孔３２に嵌合された状態で、押圧部材１０８が前側の縦直線部６３と上側の横直線部６４との間に配置されていることにより、フランジ部材８１は、第１平面部をなす後側の縦直線部６３と、第２平面部をなす下側の横直線部６４との間に向けて押圧される。左軸受部材９１の外周面が４つの直線部６０に接して固定され、フランジ部材８１が第１平面部および第２平面部の間に向けて押圧されることにより、フランジ部材８１は、その外周面が左軸受部材９１の筒状部１０５の内周面に接触した状態で、第１平面部および第２平面部の２面に対して位置決めされる。これにより、感光ドラム５の左端部の位置決めが達成される。
【００８１】
このとき、図１４に示すように、押圧部材１０８の突出部１０９は、押圧部材１０８の押圧方向に投影したときに、左内側板２５のドラム支持孔３２の内周面１３９と重なるように対向配置している。
【００８２】
一方、左軸受部材９１のドラム支持孔３２への装着が完了した時点で、鍔部１０６は、左内側板２５の外側面（左側面）に当接している。これにより、それ以上の左軸受部材９１の右方への移動が規制され、左軸受部材９１が左右方向（感光ドラム５の軸方向）に位置決めされる。また、図１２に示すように、上側の係止突起１２０が左内側板２５の上端縁（被係止部７２）に上方から接触するとともに、下側の係止突起１２０が左内側板の下端縁（軸受係止溝７０）に下方から接触する。これにより、２つの第２係止部１１０が、左内側板２５の軸受係止溝７０および被係止部７２に係止され、左軸受部材９１の左右方向の位置決め状態が保持される。
【００８３】
その後、図６に示すように、シャフト８３における右軸受部材９０の封止部９８（図８参照）よりも右側に突出した部分にクリップ部材１１１が取り付けられる。クリップ部材１１１は、略コ字状に形成され、その途中部が封止部９８よりも右側に突出したシャフト８３と接触するとともに、その各遊端部が屈曲されて、右内側板２４のクリップ係止溝７１にそれぞれ係止される。これにより、ドラムユニット３に対する感光ドラム５の取り付けが完了する。
【００８４】
４つの感光ドラム５の取り付けが完了した後は、右内側板２４および左内側板２５の左右方向外側に、外側板２６が配置される。そして、図示しないねじを介して、右内側板２４および左内側板２５、フロントビーム２１、４つのドラムサブユニット２０、ならびにリヤビーム２２に対して、右外側板２７および左外側板２８が組み付けられる。これにより、ドラムユニット３の組み立てが完了する。
（９）ドラムユニットに対する現像カートリッジの装着
ドラムユニット３の組み立てが完了した後、ドラムユニット３には、各色に対応した現像カートリッジ７が装着される。具体的には、図２に示すように、各外側板２６の内側面には、案内溝１１３が形成されている。案内溝１１３は、前後方向に沿って等間隔に４つ設けられ、外側板２６の内側面において、その上端縁から感光ドラム５に向けて延びる１対の突条によりそれぞれ構成されている。この１対の突条の間に沿って、現像カートリッジ７が下方へと案内されることにより、現像カートリッジ７のドラムユニット３に対する装着が完了する。
【００８５】
図１５に示すように、ドラムユニット３に対する現像カートリッジ７の装着が完了する直前の状態で、現像カートリッジ７の移動方向は、押圧部材９６，１０８によるフランジ部材８１の押圧方向Ｂと同一方向になる。したがって、現像カートリッジ７に設けられた現像ローラ８の周面が感光ドラム５の周面に対して当接する当接方向Ａは、押圧方向Ｂと同一方向となる。
３．感光ドラムの接地
感光ドラム５のドラム本体８０（図６参照）内における右側端部には、図１３に示すように、アース部材８２が設けられている。アース部材８２は、ドラム本体８０の内周面に接触し、その軸線と直交する平面に延びる円板状に形成されている。
【００８６】
右側のフランジ部材８１に対する右軸受部材９０の取り付けが完了した状態で、右軸受部材９０に設けられたシャフト８３は、感光ドラム５の内側に挿入され、アース部材８２と接触する。これにより、感光ドラム５とシャフト８３とは、電気的に接続されている。また、図６に示すように、シャフト８３の右端部には、クリップ部材１１１が取り付けられている。クリップ部材１１１の各遊端部が右内側板２４のクリップ係止溝７１にそれぞれ係止されているため、シャフト８３と右内側板２４とは、電気的に接続されている。すなわち、感光ドラム５のドラム本体８０は、アース部材８２、シャフト８３およびクリップ部材１１１を介して、右内側板２４に対して電気的に導通可能に接続されている。
【００８７】
図１に示すように、本体ケーシング２内にドラムユニット３が装着された状態では、右内側板２４および左内側板２５の位置決め部５３（図４参照）に本体基準軸３４が入り込み、本体基準軸３４を介して、右内側板２４および左内側板２５を接地することができる。また、右内側板２４と感光ドラム５とがアース部材８２、シャフト８３およびクリップ部材１１１を介して電気的に接続されているため、アース部材８２、シャフト８３、クリップ部材１１１、右内側板２４および本体基準軸３４を介して、感光ドラム５を接地することができる。
４．本体ケーシング
（１）ドラムユニットの本体ケーシング内に対する着脱
図１を参照して、ドラムユニット３の本体ケーシング２内に対する装着の際には、まず、本体ケーシング２のカバー４が開かれる。そして、ドラムユニット３が後方へ移動されることにより、ドラムユニット３が本体ケーシング２内へ案内される。そして、右内側板２４および左内側板２５の位置決め部５３（図４参照）が本体基準軸３４に当接すると、それ以上のドラムユニット３の押し込みが規制される。これにより、ドラムユニット３の本体ケーシング２内に対する装着が完了する。
【００８８】
なお、ドラムユニット３の本体ケーシング２からの離脱は、上記の手順と逆の手順で行うことができる。
（２）感光ドラムに対する駆動力の入力
図２に示すように、本体ケーシング２内にドラムユニット３が装着された状態で、各感光ドラム５の左端部と左右方向に対向する位置には、感光ドラムに駆動力を伝達するためのギアの一例としての駆動伝達部１１２がそれぞれ配置されている。各駆動伝達部１１２は、ドラムユニット３が本体ケーシング２内に装着された後、右方へと進出し、各左側のフランジ部材８１の左端面に設けられた結合溝（図示せず）に結合される。これにより、各感光ドラム５に対して駆動伝達部１１２から駆動力を伝達させることができ、各感光ドラム５を回転駆動させることができる。
【００８９】
また、各駆動伝達部１１２が各フランジ部材８１の結合溝に接続された後、各駆動伝達部１１２は、さらに右方へと進出する。これにより、各フランジ部材８１を介してドラムユニット３が全体的に右方へと移動される。これにより、ドラムユニット３の左右方向の位置決めが達成される。
５．作用効果
（１）以上のように、右内側板２４および左内側板２５を貫通するドラム支持孔３２の内周面には、互いに異なる方向に延びる第１平面部（後側の縦直線部６３）および第２平面部（下側の横直線部６４）が形成されている。感光ドラム５のドラム本体８０の軸線方向の両端部には、フランジ部材８１が相対回転不能に設けられる。フランジ部材８１には、右軸受部材９０および左軸受部材９１が相対回転可能に外嵌される。右軸受部材９０および左軸受部材９１は、ドラム支持孔３２に内嵌される。そして、押圧部材９６、１０８により、左右のフランジ部材８１が第１平面部と第２平面部との間に向けて押圧される。これにより、右側のフランジ部材８１が、右軸受部材９０の内周面と接触した状態で、第１平面部および第２平面部の２面に対して位置決めされる。また、左側のフランジ部材８１が、左軸受部材９１の内周面と接触した状態で、第１平面部および第２平面部の２面に対して位置決めされる。すなわち、フランジ部材８１は、上下方向および前後方向の２方向に対して位置決めされる。
【００９０】
さらに、押圧部材９６、１０８の突出部９７、１０９は、それぞれ押圧方向に投影したときに、右内側板２４および左内側板２５のドラム支持孔３２の内周面１３９と重なるように対向配置している。
【００９１】
そのため、図１３および図１４に示すように、押圧部材９６、１０８の押圧する力と、右内側板２４および左内側板２５による押圧に対する抗力とが、押圧部材９６、１０８の押圧方向において一致するので、右軸受部材９０および左軸受部材９１の撓みを防止することができる。
【００９２】
その結果、感光ドラム５を右内側板２４および左内側板２５に対して精度よく位置決めすることができる。
【００９３】
そして、プリンタ１では、左右のフランジ部材８１が右軸受部材９０および左軸受部材９１に対して遊びを有した状態で内嵌され、押圧部材９６，１０８の押圧により位置決めされている。よって、右内側板２４と左内側板２５との熱膨張量に差が生じても、フランジ部材８１と右軸受部材９０および左軸受部材９１との間の遊び（マージン）により、その熱膨張量の差を吸収することができる。したがって、環境温度にかかわらず、４つの感光ドラム５の平行度を維持することができ、色ずれなどの画像形成不良が生じるのを防止することができる。
（２）また、右軸受部材９０は、右内側板２４から感光ドラム５側に突出する筒状部９２を備えている。筒状部９２には、右内側板２４側において周方向に延び、その周方向両端部から感光ドラム５側に向けて延びるように切り欠かれる切欠部９５が形成されている。
【００９４】
切欠部９５に囲まれた部分の右内側板２４側端部には、右軸受部材９０の筒状部９２の内部空間に突出する突出部９７が形成されている。突出部９７は、筒状部９２の内部空間にフランジ部材８１が挿入されたとき、フランジ部材８１に対して弾性的に接触し、フランジ部材８１を突出部９７の突出方向に向けて押圧する。すなわち、切欠部９５に囲まれた部分がフランジ部材８１を押圧する押圧部材９６をなす。これにより、簡素な構成で押圧部材９６を設けることができるので、プリンタ１の製造コストを低減することができる。さらに、押圧部材９６が右軸受部材９０と一体的に形成されているため、押圧部材９６と右軸受部材９０とが個別に形成されている構成と比較して、部品点数を削減することができる。
【００９５】
また、左軸受部材９１は、左内側板２５から感光ドラム５側に突出する筒状部１０５を備えている。筒状部１０５には、左内側板２５側において周方向に延び、その周方向両端部から感光ドラム５側に向けて延びるように切り欠かれる切欠部１０７が形成されている。
【００９６】
切欠部１０７に囲まれた部分の左内側板２５側端部には、左軸受部材９１の筒状部１０５の内部空間に突出する突出部１０９が形成されている。突出部１０９は、筒状部１０５の内部空間にフランジ部材８１が挿入されたとき、フランジ部材８１に対して弾性的に接触し、フランジ部材８１を突出部１０９の突出方向に向けて押圧する。すなわち、切欠部９５に囲まれた部分がフランジ部材８１を押圧する押圧部材１０８をなす。これにより、簡素な構成で押圧部材１０８を設けることができるので、プリンタ１の製造コストを低減することができる。さらに、押圧部材１０８が左軸受部材９１と一体的に形成されているため、押圧部材１０８と左軸受部材９１とが個別に形成されている構成と比較して、部品点数を削減することができる。
（３）また、右軸受部材９０は、右内側板２４に沿って設けられる環状の鍔部９４を備えている。これにより、右軸受部材９０がドラム支持孔３２に内嵌された状態で、鍔部９４が右内側板２４の内側面（左側面）に当接する。よって、右軸受部材９０を左右方向に位置決めすることができる。また、鍔部９４には、第１係止部１０１が一体的に形成されている。第１係止部１０１は、右内側板２４の軸受係止溝７０および被係止部７２に係止される。これにより、右軸受部材９０が左右方向に位置決めされた状態を保持することができる。
【００９７】
また、左軸受部材９１は、左内側板２５に沿って設けられる環状の鍔部１０６を備えている。これにより、左軸受部材９１がドラム支持孔３２に内嵌された状態で、鍔部１０６が左内側板２５の外側面（左側面）に当接する。よって、左軸受部材９１を左右方向に位置決めすることができる。また、鍔部１０６には、第２係止部１１０が一体的に形成されている。第２係止部１１０は、左内側板２５の軸受係止溝７０および被係止部７２に係止される。これにより、左軸受部材９１が左右方向に位置決めされた状態を保持することができる。
（４）また、各感光ドラム５の左側のフランジ部８１の左端部と左右方向に対向する位置には、駆動伝達部１１２がそれぞれ配置されている。各左側のフランジ部材８１の左端面には、駆動伝達部１１２と接続する結合溝（図示せず）が設けられている。そして、駆動伝達部１１２と結合溝（図示せず）とが結合することにより、駆動伝達部１１２を介して感光ドラム５に駆動力が伝達し、感光ドラム５を回転駆動させることができる。
（５）また、ドラムユニット３は、その周面が感光ドラム５に押圧される現像ローラ８を備えている。押圧部材９６，１０８がフランジ部材８１を押圧する方向Ｂは、現像ローラ８の周面が感光ドラム５を押圧する方向Ａと同一方向である。これにより、フランジ部材８１には、押圧部材９６，１０８および現像ローラ８の両方から力が入力される。よって、フランジ部材８１を右内側板２４および左内側板２５に対してより精度よく位置決めすることができる。
６．第２実施形態
次に、本発明の第２実施形態について説明する。
【００９８】
図１６および図１７は、本発明の第２実施形態における左軸受部材を示す斜視図である。図１８は、本発明の第２実施形態における左内側板のドラム支持孔の周辺部分の拡大図である。図１９は、図１６および図１７に示す左軸受部材が、左内側板に取り付けられた状態を説明するための斜視図である。図２０は、図１６および図１７に示す左軸受部材における押圧部材の押圧を説明するための押圧方向断面図である。
【００９９】
図１６〜図２０において、図１〜図１５に示す各部に対応する部分には、それらの各部と同一の参照符号を付し、その説明を省略する。
（１）左軸受部材
第１実施形態では、図９および図１０に示すように、左軸受部材９１が切欠部１０７に囲まれた部分からなる押圧部材１０８を備えている。
【０１００】
これに対し本発明の第２実施形態では、図１６および図１７に示すように、左軸受部材９１が、筒状部１０５における１対のスリット１２６に挟まれた第１部分１２７と、第１部分１２７と重なるように折り返される第２部分１２８とを備える押圧部材１２５を備えている。
【０１０１】
詳しくは、図１６および図１７に示されるように、筒状部１０５には、鍔部１０６が設けられた側とは反対側端面から鍔部１０６に向けて切り欠かれた形状の１対のスリット１２６が、筒状部１０５の周方向に間隔を空けて設けられている。
【０１０２】
押圧部材１２５は、断面略Ｕ字形状であって（図２０参照）、１対のスリット１２６に挟まれた部分のうち、鍔部１０６から筒状部１０５の軸線方向途中部までの第１部分１２７と、筒状部１０５の軸線方向途中部から筒状部１０５の遊端部までが、第１部分１２７と厚み方向に重なるように屈曲されて形成される第２部分１２８とからなる。そして、第２部分１２８は、その屈曲部分の撓みによって弾性変形する。
【０１０３】
また、第２部分１２８の鍔部１０６側端部には、突出部１２９が形成されている。
【０１０４】
突出部１２９は、断面鉤状をなし（図２０参照）、第２部分１２８の鍔部１０６側端部から、筒状部１０５の内部空間に突出するように形成されている。
【０１０５】
また、突出部１０９は、左軸受部材９１がフランジ部材８１に対して外嵌したときに、フランジ部材８１に接触して押圧するように形成されている（図２０参照）。
（２）ドラム支持孔
左軸受部材９１を内嵌するドラム支持孔３２は、図１８に示すように、前側の縦直線部６３の上側部分および前上側の湾曲部６１が、ドラム支持孔３２の内周面から外側に向けて切り欠かれている。これにより、ドラム支持孔３２の前側上側には、ドラム支持孔３２の内面から外側に向けて凸状に窪む押圧部材収容部１３０が形成されている。
（３）左内側板および感光ドラムに対する左軸受部材の装着
左内側板２５および感光ドラム５の左端部（左側のフランジ部材８１）に対して、左軸受部材９１が装着される。具体的には、左内側板２５のドラム支持孔３２から左側のフランジ部材８１が露出した状態で、左側のフランジ部材８１の外周面とドラム支持孔３２との間に、左軸受部材９１の筒状部１０５が挿入される。
【０１０６】
このとき、図１９に示すように、押圧部材１２５は、左内側板２５に設けられた押圧部材収容部１３０に収容され、押圧部材１２５の第１部分１２７の外周面と、押圧部材収容部１３０の内周面とが対向配置される。
【０１０７】
そして、図２０に示すように、第２部分１２８の突出部１２９がフランジ部材８１の外周面に対して弾性的に接触する。これにより、フランジ部材８１が全体的に押圧部材１２５から離間する方向に押圧される。このとき、第２部分１２８の突出部１２９は、押圧部材１２５の押圧方向に投影したときに、左内側板２５のドラム支持孔３２の内周面１３９と重なるように対向配置している。
（４）作用効果
押圧部材１２５は、その屈曲部分の撓みによって弾性変形するため、上記した第１実施形態に係る押圧部材１０８よりも、強く左側のフランジ部材８１を第１平面部（後側の縦直線部６３）と第２平面部（下側の横直線部６４）との間に向けて押圧することができる。そのため、左側のフランジ部材８１が、左軸受部材９１の内周面と接触した状態で、第１平面部および第２平面部の２面に対して精度よく位置決めされる。よって、フランジ部材８１は、上下方向および前後方向の２方向に対して精度よく位置決めされる。
【０１０８】
また、押圧部材１２５の第２部分１２８の突出部１２９は、押圧方向に投影したときに、左内側板２５のドラム支持孔３２の内周面１３９と重なるように対向配置している。
【０１０９】
そのため、図２０に示すように、押圧部材１２５の押圧する力と、左内側板２５による押圧に対する抗力とが、押圧部材１２５の押圧方向において一致するので、左軸受部材９１の撓みを防止することができる。
【０１１０】
その結果、本発明の第２実施形態では、上記した第１実施形態よりも、感光ドラム５を左内側板２５に対して精度よく位置決めすることができる。
【０１１１】
以上、本発明の第２実施形態について説明したが、本発明は、他の形態で実施することもできる。
【０１１２】
たとえば、上記の第２実施形態では、左軸受部材９１が、第１部分１２７および第２部分１２８からなる押圧部材１２５を備えたが、同様の構成を有する押圧部材を右軸受部材９０に設けることもできる。
７．第３実施形態
次に、本発明の第３実施形態について説明する。
【０１１３】
図２１および図２２は、本発明の第３実施形態における左軸受部材を示す斜視図である。図２３は、本発明の第３実施形態における左内側板のドラム支持孔の周辺部分の拡大図である。図２４は、図２１および図２２に示す左軸受部材が、左内側板に取り付けられた状態を説明するための斜視図である。図２５は、図２１および図２２に示す左軸受部材における押圧部材の押圧を説明するための押圧方向断面図である。
【０１１４】
図２１〜図２５において、図１〜図１５に示す各部に対応する部分には、それらの各部と同一の参照符号を付し、その説明を省略する。
（１）左軸受部材
第１実施形態では、図９および図１０に示すように、左軸受部材９１が切欠部１０７に囲まれた部分からなる押圧部材１０８を備えている。
【０１１５】
これに対し本発明の第３実施形態では、図２１および図２２に示すように、左軸受部材９１の一部が周方向に沿って所定幅で切り欠かれる切欠部１３４が形成されており、切欠部１３４には、付勢部材の一例としてのばね部材１３６を備える押圧部材１３５が配置されている。
【０１１６】
詳しくは、切欠部１３４は、筒状部１０５の鍔部１０６側において中心角が約３０°の円弧幅をもって切り欠かれる第１切欠部１３２と、鍔部１０６において第１切欠部１３２と連通するように、中心角が約３０°の円弧幅をもって径方向外方に向けて切り欠かれる第２切欠部１３３とから連続して形成される。
【０１１７】
押圧部材１３５は、押圧部１３８と、支持部１３７とから一体的に形成されている。
【０１１８】
押圧部１３８は、筒状部１０５の内周面と同じ曲率で形成される湾曲形状をなし、径方向から見て略矩形状に形成されている。
【０１１９】
支持部１３７は、鍔部１０６を挟むように、押圧部１３８の両端部（筒状部１０５の軸線方向における両端）に互いに間隔を空けて１対として設けられている。
【０１２０】
各支持部１３７は、押圧部１３８の周方向両端部から、径方向外方に延びた後、鍔部１０６の接線方向に沿って互いに離間するように屈曲形成されている。
【０１２１】
押圧部材１３５は、押圧部１３８が筒状部１０５の内部空間に臨むように切欠部１３４に嵌合される。このとき、押圧部１３８の周方向両端面および支持部１３７とは、切欠部１３４とわずかな間隔を隔てて対向配置される。
【０１２２】
ばね部材１３６は、１対の支持部１３７に挟まれるように、押圧部１３８の径方向外側面に配置されている。
（２）ドラム支持孔
左軸受部材９１を内嵌するドラム支持孔３２は、図２３に示すように、前上側の湾曲部６１が、ドラム支持孔３２の内周面から外側に向けて、側面視略コ字状に膨出している。これにより、ドラム支持孔３２の前側上側には、ドラム支持孔３２の内面から外側に向けて凸状に窪むばね収容部１４０が形成されている。
【０１２３】
ばね収容部１４０の中央部分には、ドラム支持孔３２の内側空間に向けて突出するばねガイド１４１が形成されている。
（３）左内側板および感光ドラムに対する左軸受部材の装着
左内側板２５および感光ドラム５の左端部（左側のフランジ部材８１）に対して、左軸受部材９１が装着される。具体的には、まず、ばね部材１３６にばねガイド１４１を挿入する。そして、１対の支持部１３７が、厚み方向にばね収容部１４０を挟みこみ、かつ、押圧部１３８がばねガイド１４１と対向するように、ばね部材１３６を押圧して押圧部材１３５を配置する。次いで、左内側板２５のドラム支持孔３２から左側のフランジ部材８１が露出した状態で、左側のフランジ部材８１の外周面とドラム支持孔３２との間に、左軸受部材９１の筒状部１０５が挿入される。
【０１２４】
このとき、図２５に示すように、押圧部材１３５の押圧部１３８が、切欠部１３４を経て、フランジ部材８１の外周面に対して接触し、ばね部材１３６の付勢力により押圧する。これにより、フランジ部材８１が全体的に押圧部材１３５から離間する方向に押圧される。
【０１２５】
また、押圧部材１３５の押圧部１３８は、押圧部材１３５の押圧方向に投影したときに、左内側板２５のドラム支持孔３２の内周面１３９と重なるように対向配置している。
（４）作用効果
押圧部材１３５は、ばね部材１３６の付勢力により、左側のフランジ部材８１を第１平面部（後側の縦直線部６３）と第２平面部（下側の横直線部６４）との間に向けて押圧する。そのため、ばね部材１３６のばね定数に基づいて、押圧する力を正確に調整することができる。
【０１２６】
そして、左側のフランジ部材８１が、左軸受部材９１の内周面と接触した状態で、第１平面部および第２平面部の２面に対して位置決めされる。すなわち、フランジ部材８１は、上下方向および前後方向の２方向に対して位置決めされる。
【０１２７】
また、押圧部材１３５の押圧部１３８は、押圧方向に投影したときに、左内側板２５のドラム支持孔３２の内周面１３９と重なるように対向配置している。
【０１２８】
そのため、図２５に示すように、押圧部材１３５の押圧する力と、左内側板２５による押圧に対する抗力とが、押圧部材１２５の押圧方向において一致するので、左軸受部材９１の撓みを防止することができる。
【０１２９】
その結果、本発明の第３実施形態では、押圧部材１３５の押圧する力を適宜調整することができ、感光ドラム５を左内側板２５に対して精度よく位置決めすることができる。
【０１３０】
以上、本発明の第３実施形態について説明したが、本発明は、他の形態で実施することもできる。
【０１３１】
たとえば、上記の第３実施形態では、左軸受部材９１が、ばね部材１３６を備える押圧部材１３５を備えたが、同様の構成を有する押圧部材を右軸受部材９０に設けることもできる。
【符号の説明】
【０１３２】
１      プリンタ
３      ドラムユニット
５      感光ドラム
８      現像ローラ
２４    右内側板
２５    左内側板
３２    ドラム支持孔
６３    縦直線部
６４    横直線部
７０    軸受係止溝
７２    被係止部
８１    フランジ部材
９０    右軸受部材
９１    左軸受部材
９２    筒状部
９４    鍔部
９５    切欠部
９６    押圧部材
９７    突出部
１０１  第１係止部
１０５  筒状部
１０６  鍔部
１０７  切欠部
１０８  押圧部材
１０９  突出部
１１０  第２係止部
１１２  駆動伝達部
１２５  押圧部材
１２６  スリット
１２９  突出部
１３４  切欠部
１３５  押圧部材
１３６  ばね部材
１３９  内周面
【図１】
0005459242.tif 000002
【図２】
0005459242.tif 000003
【図３】
0005459242.tif 000004
【図４】
0005459242.tif 000005
【図５】
0005459242.tif 000006
【図６】
0005459242.tif 000007
【図７】
0005459242.tif 000008
【図８】
0005459242.tif 000009
【図９】
0005459242.tif 000010
【図１０】
0005459242.tif 000011
【図１１】
0005459242.tif 000012
【図１２】
0005459242.tif 000013
【図１３】
0005459242.tif 000014
【図１４】
0005459242.tif 000015
【図１５】
0005459242.tif 000016
【図１６】
0005459242.tif 000017
【図１７】
0005459242.tif 000018
【図１８】
0005459242.tif 000019
【図１９】
0005459242.tif 000020
【図２０】
0005459242.tif 000021
【図２１】
0005459242.tif 000022
【図２２】
0005459242.tif 000023
【図２３】
0005459242.tif 000024
【図２４】
0005459242.tif 000025
【図２５】
0005459242.tif 000026